(57)【要約】【課題】本体と押し棒とを備えたアプリケータにおいて、本体に対する押し棒の挿入速度、位置等を制御することを可能とする膣錠等挿入物挿入用アプリケータを提供する。【解決手段】本体１と、該本体１内に挿入自在な押し棒２とを備えてなり、前記本体内１に保持した挿入物を、該本体１の基端部９側から該本体１内に挿入された前記押し棒２を押圧することにより、該本体１の先端部から外部へ送り出せるようにした、膣錠等挿入物挿入用アプリケータにおいて、前記本体１には、その基端部９に該本体１の内方に突出する突出部２１が形成され、前記押し棒２には、その外面に前記突出部２１に接触自在かつ前記押圧時に通過可能な突部３４、３５が形成されていることを特徴とする。【選択図】図３
2010184092.tif 000002
【特許請求の範囲】
【請求項１】
筒状の本体と、
該本体内に挿入自在な押し棒とを備えてなり、
前記本体内に保持した挿入物を、該本体の基端部側から該本体内に挿入された前記押し棒を押圧することにより、該本体の先端部から外部へ送り出せるようにした、膣錠等挿入物挿入用アプリケータにおいて、
前記本体には、該本体の内方に突出する突出部が形成され、
前記押し棒には、その外面に前記突出部に接触自在かつ前記押圧時に通過可能な突部が形成されていることを特徴とする膣錠等挿入物挿入用アプリケータ。
【請求項２】
前記突部は、
前記押し棒を前記本体に挿入する際の押圧力が所定の値Ｐ０を超えたときに前記突出部を乗り越えて前記押し棒を本体内に進行させ、
この本体内における前記押し棒に抜出力が働いたときに、この抜出力がＰ１以下のときに前記突出部に係合して前記押し棒をその位置に留める突出寸法とされていることを特徴とする請求項１に記載の膣錠等挿入物挿入用アプリケータ。
【請求項３】
前記突部は、
前記押し棒を前記本体に挿入したときに、該押し棒を挿入する押圧力が所定の値Ｐ２以下のときに前記突出部に係合して該押し棒をその位置に留め、
所定の値Ｐ２を超えたときに該押し棒が更に前記押し棒の先端部方向へ進行可能とする突出寸法とされていることを特徴とする  請求項１に記載の膣錠等挿入物挿入用アプリケータ。
【請求項４】
前記突部は、
前記押し棒の外面に該押し棒の挿入方向に向けて延在するように形成され、
該押し棒を前記本体内に一定の押圧力で挿入したときに、前記突出部との間に摩擦力を発生させつつ該押し棒が進行する突出長とされていることを特徴とする請求項３に記載の膣錠等挿入物挿入用アプリケータ。
【請求項５】
前記突部は、少なくともその一部領域が、
前記押し棒の基端部側から先端部方向へ向けて、漸次突出寸法が小となるように形成されていることを特徴とする請求項４に記載の膣錠等挿入物挿入用アプリケータ。
【請求項６】
前記突部は、前記押し棒の基端部には、
前記本体の後端面に当接自在な係合突部が形成され、
該係合突部は、該押し棒の先端方向への長さが、その先端面が前記本体の後端面に当接した際に該押し棒の基端部が該本体の後端面から一定寸法突出する長さとしたことを特徴とする請求項１から５のいずれかに記載の膣錠等挿入物挿入用アプリケータ。
【請求項７】
前記本体の基端部後端面側には外方へ張り出す第１の張出壁部が形成され、
前記押し棒の基端部後端面には、前記押し棒の係合突部先端面を前記本体の後端面に当接させたときに前記第1の張出壁部との間に隙間が生ずるように第２の張出壁部が形成されていることを特徴とする請求項６に記載の膣錠等挿入物挿入用アプリケータ。
【請求項８】
前記本体の先端部には、
該本体の周方向に複数に分割され、該本体の先端方向に向けて突出するとともに先端方向に行くに従い漸次すぼむ形状とされた複数の舌片が設けられ、
前記押し棒の先端部は、前記本体の先端部に形成された複数の舌片が弾性復帰して定位置に戻ったときに、該舌片の内面側に位置して該舌片をその位置に保持するように形成されていることを特徴とする請求項１から７のいずれかに記載の膣錠等挿入物挿入用アプリケータ。
【発明の詳細な説明】
【技術分野】
【０００１】
本発明は、挿入物保護及び膣内保護に適した膣錠等挿入物挿入用アプリケータに関する。
【背景技術】
【０００２】
従来この種のアプリケータとして、例えば特許文献１のような膣内薬剤注入器や、特許文献２乃至４のようなタンポンのアプリケータが提供されている。
これらのアプリケータは、外筒と内筒から構成されるものであって、外筒内に挿入物を挿入しこの状態で内筒を外筒内に挿入し、これを人体の膣内に挿入し、内筒を押圧することにより、外筒内の挿入物を前進させ、外筒先端から挿入物を外部へ送り出すことによって挿入物を膣内に挿入配置するものである。
この場合、外筒及び内筒の後端部にはそれぞれ外方に張出壁部が構成されている。
また、上記の構成において、外筒の先端部は、周方向に複数に分割されると共に、そこに形成された複数の舌片が、挿入物が外部に送り出される際には弾性変形し、送り出された後には弾性復帰して元の位置に戻るように形成されている。
【先行技術文献】
【特許文献】
【０００３】
【特許文献１】特公昭６０−４０３０８号公報
【特許文献２】特許登録第２９６５７２０号公報
【特許文献３】特公昭６０−２７３０３号公報
【特許文献４】特開昭６１−２０６４４２号公報
【発明の概要】
【発明が解決しようとする課題】
【０００４】
上記の各アプリケータにおいては、外筒の内径に対し、内筒の外径が一定寸法に形成されているため、外筒内に内筒を位置させた場合に、内筒が操作者の意思に関わり無く不用意に動いてしまい、各種の問題を生じていた。
【０００５】
例えば、このアプリケータを使用する前又は使用時に、外筒において内筒が不用意に動いてしまうことがあり、内筒が外筒から抜け出してしまったり、挿入物が外筒から放出されたり、外筒内で挿入物が不必要に動いて損傷・変形してしまうという問題があった。  
【０００６】
また、このアプリケータを使用して膣内に挿入物を挿入しようとする場合に、使用前又はアプリケータが膣内の適切な位置に至らない状態で操作者が不用意に押してしまうことがあり、この場合挿入物を膣内の適切な位置に送り出すことができないという問題があった。
【０００７】
また、外筒に対して内筒の進入速度を制御できないため、挿入物が膣内に急速に飛び出して、使用者に不快感を与える問題があった。
【０００８】
また更に、内筒が外筒の奥部まで挿入された際、内筒の後端が外筒の後端付近まで挿入されてしまい、このアプリケータの再使用に際して外筒から内筒を引き抜く操作が困難になるという問題があった。
【０００９】
また更に、内筒を外筒の奥部まで挿入した際に、外筒の後端に形成された張出壁部と内筒の後端に形成された張出壁部との間に体毛を挟むという問題があった。
【００１０】
また更に、上記のアプリケータにおいては、外筒先端から挿入物を外部へ送り出した後、複数の舌片が元の形に弾性復帰することになるが、その際当該弾性舌片が自由に動きうる状態に置かれるため、この弾性舌片が膣内に当接した際に不用意に変形して使用者が不快感を感ずる問題があった。
【００１１】
本発明は、上記事情に鑑みてなされたもので、外筒と内筒等の押し棒とを備えたアプリケータにおいて、外筒に対する押し棒の挿入速度、位置等を制御可能にする膣錠等挿入物挿入用アプリケータを提供することを目的としている。
【課題を解決するための手段】
【００１２】
上記目的を達成するために、本発明は以下の手段を提供している。
第１の発明は、筒状の本体と、該本体内に挿入自在な押し棒とを備えてなり、前記本体内に保持した挿入物を、該本体の基端部側から該本体内に挿入された前記押し棒を押圧することにより、該本体の先端部から外部へ送り出せるようにした、膣錠等挿入物挿入用アプリケータにおいて、前記本体には、該本体の内方に突出する突出部が形成され、前記押し棒には、その外面に前記突出部に接触自在かつ前記押圧時に通過可能な突部が形成されていることを特徴とするものである。
【００１３】
第２の発明は、前記突部は、前記押し棒を前記本体に挿入する際の押圧力が所定の値Ｐ０を超えたときに前記突出部を乗り越えて前記押し棒を本体内に進行させ、この本体内における前記押し棒に抜出力が働いたときに、この抜出力がＰ１以下のときに前記突出部に係合して前記押し棒をその位置に留める突出寸法とされていることを特徴とするものである。
【００１４】
第３の発明は、前記突部は、前記押し棒を前記本体に挿入したときに、該押し棒を挿入する押圧力が所定の値Ｐ２以下のときに前記突出部に係合して該押し棒をその位置に留め、所定の値Ｐ２を超えたときに該押し棒が更に前記押し棒の先端部方向へ進行可能とする突出寸法とされていることを特徴とするものである。
【００１５】
第４の発明は、前記突部は、前記押し棒の外面に該押し棒の挿入方向に向けて延在するように形成され、該押し棒を前記本体内に一定の押圧力で挿入したときに、前記突出部との間に摩擦力を発生させつつ該押し棒が進行する突出長とされていることを特徴とするものである。
【００１６】
第５の発明は、前記突部は、少なくともその一部領域が、前記押し棒の基端部側から先端部方向へ向けて、漸次突出寸法が小となるように形成されていることを特徴とするものである。
【００１７】
第６の発明は、前記押し棒の基端部には、前記本体の後端面に当接自在な係合突部が形成され、該係合突部は、該押し棒の先端方向への長さが、その先端面が前記本体の後端面に当接した際に該押し棒の基端部が該本体の後端面から一定寸法突出する長さとしたことを特徴とするものである。
【００１８】
第７の発明は、前記本体の基端部後端面側には外方へ張り出す第１の張出壁部が形成され、前記押し棒の基端部後端面には、前記押し棒の突部先端面を前記本体の後端面に当接させたときに前記第１の張出壁部との間に隙間が生ずるように第２の張出壁部が形成されていることを特徴とする。
【００１９】
第８の発明は、前記本体の先端部には、該本体の周方向に複数に分割され、該本体の先端方向に向けて突出するとともに先端方向に行くに従い漸次すぼむ形状とされた複数の舌片が設けられ、前記押し棒の先端部は、前記本体の先端部に形成された複数の舌片が弾性復帰して定位置に戻ったときに、該舌片が内面側に位置して該舌片をその位置に保持可能とすることを特徴とする。
【発明の効果】
【００２０】
本発明のアプリケータによると、押し棒が操作者の意思に関わり無く不用意に動くことが無く、押し棒の本体からの離脱を防止することができ、挿入物を一定位置に保持しておくことができるという効果が得られる。
また、本発明のアプリケータによると、膣内に挿入物を挿入しようとする場合に、使用前又はアプリケータが膣内の適切な位置に至らない状態で操作者が不用意に押してしまうことがなく、挿入物を膣内の適切な位置に送り出すことができるという効果が得られる。
また、本体に対しての押し棒の進入速度を適当に制御でき、挿入物が膣内に急速に飛び出して、使用者に不快感を与えないという効果が得られる。
また、本発明のアプリケータによると、押し棒が本体の奥部まで挿入された際、押し棒の後端が本体の後端付近まで挿入されることなく、アプリケータの再使用において本体から押し棒を引き抜く操作が容易になるという効果が得られる。
また、本発明のアプリケータによると、本体内に内筒を外筒の奥部まで挿入した際に外筒の後端と内筒の後端に体毛を挟まないという効果が得られる。
また、本発明のアプリケータによると、本体先端から挿入物を外部へ送り出した後、複数の舌片が元の形に弾性復帰することになるが、その際当該弾性舌片を元の状態に保持し、この弾性舌片を不用意に変形させず膣内に当接させないため、使用者に不快感を感じさせないという効果が得られる。
また、本発明のアプリケータによると、使用後アプリケータを体外に離脱させる際に、押し棒が本体から離れて抜け出るということを防ぐという効果が得られる。
【図面の簡単な説明】
【００２１】
【図１】は、本発明の実施の形態として示したアプリケータの半部を断面視した正面図である。
【図２】は、本発明の実施の形態として示したアプリケータの半部を断面視した側面図である。
【図３】は、本発明の実施の形態として示したアプリケータの図２における矢印Ａ部分の拡大図である。
【図４】は、本発明の実施の形態として示したアプリケータの図２における矢印Ｂから見た拡大図である。
【図５】（ａ）、（ｂ）は、同実施形態を示した使用状態を示した説明図である。
【図６】（ａ）、（ｂ）は、本発明の別の実施形態によるアプリケータの挿入用アプリケータの使用状態を示した説明図である。
【図７】（ａ）、（ｂ）は、本発明の別の実施形態として示したアプリケータの一部の図であってその半部を断面視した側面図である。
【発明を実施するための形態】
【００２２】
以下、図面を参照して、この発明の一実施の形態について説明する。
図１〜４は、この発明を人体の膣内に錠剤を挿入するためのアプリケータに適用した場合の実施例を示している。
【００２３】
これらの図において、１は筒状の本体、２は押し棒、３は錠剤（挿入物）を示している。本体１、押し棒２は、それぞれ柔軟性のあるポリエチレン、直鎖状低密度ポリエチレン（ＬＬＤＰＥ）等の合成樹脂から形成されたものである。本体１は筒状に形成されたものであって、その先端はすぼんだ形状となっており、後述するように、錠剤３が通過する際に弾性変形できるようになっている。この本体１は、断面（内面・外面）の輪郭が、正円形状であり、その後端部には外方に張り出す環状の張出壁部４（第１の張出壁部）が形成されている。張出壁部４の構成の詳細は図３に示されており、その前端面４ａ，後端面４ｂ（本体1の後端面）は、本体１の中心軸線に対して直交する平坦面となっている。また、本体１の素材は、錠剤３の位置、方向性が視認できるように、透明又は半透明とされていることが望ましい。
【００２４】
本体１の先端部５は、先端方向に向けて仮想半円球状に沿って漸次すぼむ形状とされ、先端部５に開口部６が形成されると共に、先端方向へ向けて開口部６に連通する複数の切れ目７が形成され、複数の切れ目７間に位置して複数の舌片８が形成された構成となっている。
【００２５】
これら舌片８は、押し棒２を後述するように本体１内に挿入して錠剤３を外方へ送り出す際に弾性変形して互いに拡開し、錠剤３が外部へ送り出された際に弾性復帰して元の形状に戻るようになっている。換言すると、本体１の先端部には、本体１の周方向に複数に分割され、本体１の先端方向に向けて突出すると共に、該先端方向に従って漸次すぼむ形状とされた複数の舌片８が設けられ、これらの舌片８は弾性変形可能となっている。
【００２６】
また、図３にその詳細を示すように、本体１の基端部９の内面には、本体１の内方に突出する環状の突出部２１が形成されている。この本体１の基端部９の外周面には、図１に示すように、一定間隔置きに滑り止めの環状突起２２が形成されている。
【００２７】
押し棒２は、有底円筒状に形成されたものであって、高密度ポリエチレン（ＨＤＰＥ）等の樹脂からなる。押し棒２の断面（内面・外面）の輪郭は、正円形状とされている。この押し棒２の先端部３１は、先端に向かってすぼむ仮想半球円に沿って形成された側面３２と、この押し棒２の軸線に直行する先端壁３３とからなるものである。この押し棒２の先端部３１は、本体１の先端部５に形成された舌片８が後述するように弾性復帰して定位置に戻ったときに、舌片８の内面側に位置して舌片８をその位置に保持することを可能にするものである。
【００２８】
図１、図２及び図３に示すように、押し棒２には、本体１の突出部２１と接触可能な突部３４（第１の突部）、突部３５（第２の突部）、係合突部３６が形成されている。
【００２９】
第１の突部３４は、押し棒２の基端部３７寄りの外面に、この押し棒２の軸線方向に向けて線状に形成されたものであって、押し棒２の外面から外方へ、所定の突出寸法Ｔをもって、長さＬにわたって周方向に一定間隔を置いて複数条形成されたものである。この第１の突部３４は、押し棒２を本体１に挿入する際の押圧力が所定の値Ｐ０を超えたときに本体１の突出部２１を乗り越えて押し棒２を本体１内に進行させ、つまり、この場合突出部２１部分を通過可能となっており、この押し棒２が本体１に挿入された状態において、この押し棒２を本体１から引き抜く力が働いたときに、この抜出力が所定の値Ｐ１以下のときに本体１の突出部２１に係合して、この押し棒２をその位置に留め、押し棒２が本体１からそれ以上後退し、抜け出ることを防止するものである。
【００３０】
第２の突部３５は、押し棒２の外面に第１の突部３４より後端部側に位置させて形成されたものである。この第２の突部３５は、押し棒２の外面に、この押し棒２の軸線方向に向けて線状に形成されたものであり、押し棒２の周方向に一定間隔を置いて複数条形成されている。この第２の突部３５は、少なくとも一部領域が、押し棒２の基端部３７側から先端側に向けて漸次突出長が小となるように形成され、押し棒２を挿入する押圧力が所定の値Ｐ２以下のときに本体１の突出部２１に係合して、この押し棒２をその位置に留め、所定の値Ｐ２を超えた一定の押圧力で押圧したときに、本体１の突出部２１との間に摩擦力を発生させつつ、この押し棒２が本体１の先端方向へ進行する突出寸法とされている。
【００３１】
本実施形態においては、本体１の全長を、８０ｍｍ〜１２０ｍｍ、外径を９ｍｍ〜１７ｍｍ、内径を７ｍｍ〜１５ｍｍ、突出部を０．１ｍｍ〜０．４ｍｍとし、押し棒２の全長を８０ｍｍ〜１２５ｍｍ、押し棒の外径を６ｍｍ〜１５ｍｍ、第１の突部３４及び第２の突部３５の突出寸法Ｔを、０．１ｍｍ〜０．３ｍｍとすることが出来る。
【００３２】
上述のように、第１の突部３４及び第２の突部３５は、押し棒２の外面に、軸線方向に向けて線状に長さＬにわたって連続して延在するよう形成されているが、これら突部の形状は、押し棒２が本体１内において大きくぶれない限り、この例に限定されるものではなく、例えば第１の突部３４について、図７（ａ）に示すように、第１の突部３４を複数の突部３４ａ、３４ａ、・・により形成して、各突部３４ａを不連続な突起状の形状としてもよい。このことは、第２の突部３５についても同様である。
【００３３】
また、上記の実施の形態においては、第１の突部３４及び第２の突部３５を押し棒２の軸線方向に向けて形成するようにしたが、この構成に代えて押し棒２の周方向に向け巡るように形成してもよい（不図示）。
また更に、図７（ｂ）に示すように、例えば第１の突部３４を押し棒２の周方向に複数個等間隔に環状配置し、各第１の突部３４の表面に凹部４０を形成する形態でもよい。この形態によれば、第１の突部３４の表面に凹部４０を形成することによって、本体１の突出部２１との摩擦抵抗を低減するよう調整することができる。このことは、第２の突部３５についても同様である。
【００３４】
また更に、上記所定の値Ｐ０、Ｐ１、及び、Ｐ２は、ユーザの使用感の観点から、それぞれＰ０及びＰ１が９０ｇｆ〜１１０ｇｆ、Ｐ２を１５０ｇｆ〜１９０ｇｆとするのが望ましい。したがって、本体１及び押し棒２は材質等によって前記数値を超える場合には、第１の突部３４及び第２の突部３５の突出高を低くするなど、Ｐ０、Ｐ１、及び、Ｐ２を上記範囲内とするにあたっては、押し棒２の材質、突部３４、３５の突出寸法、及び、突部３４、３５の突出形状等を適宜治変更することにより調節することができる。
【００３５】
係合突部３６は、押し棒２の基端部３７の後述する張出壁部３８（第２の張出壁部）に連なるように設けられたものであり、押し棒２の外面に所定の突出寸法をもって環状に形成されたものである。
この係合突部３６は、押し棒２を本体１内に挿入して、これを本体１内の奥部まで至らせたときに、その先端面３６ａが、本体１の後端面４ｂに当接した際に、押し棒２の基端部３７が本体１の後端面４ｂから一定寸法突出して留まるように形成されたものである。
【００３６】
張出壁部３８は、押し棒２の基端部３７に外方へ突出するように環状に形成されたものである。
この張出壁部３８は、前述したように、係合突部３６を本体１の後端面４ｂに係合させた際に、本体１の張出壁部４との間に一定の間隙が形成されるようになっている。
【００３７】
また、この押し棒２を、前述したように本体１の最奥部まで挿入したとき、すなわち押し棒２の係合突部３６が、本体１の後端面４ｂに係合する位置まで挿入した際に、図５（ａ）、（ｂ）に示すように、本体１の先端部５に形成された舌片８の先端部が、押し棒２の先端部の側面３２表面に当接して、その位置に留まるような形状となっている。
【００３８】
錠剤３は、図１、図２に示すように、扁平状に形成されており、平面形状が砲弾状の形状とされ、扁平状の基部４０の両面に膨出部４１、４２が形成されている（図２参照）。
【００３９】
上記のアプリケータの使用方法について説明する。
本体１に、この本体１の基端部側から錠剤３を挿入し、さらにこの本体１の基端部側から押し棒２を挿入する。そして、錠剤３の位置及び方向性を確認しながら押し棒２を所定の位置に前進させる。ここで、本体１の基端部内面には、突出部２１が形成されており、押し棒２には、第１の突部３４が形成されているため、突部３４が突出部２１に係合する。
【００４０】
ここで、所定の値Ｐ０を超えた押圧力で押し棒２を押圧し、突部３４が突出部２１を超えた位置に押し棒２を設定する。この状態において、押し棒２は、本体１内の先端部方向へ押圧力を受けても押圧力が所定の値Ｐ２以下の場合は、第２の突部３５の先端部が本体１の突出部２１に係合してその位置に留められ、本体１から引き抜かれる方向の力が働いてもこの場合の抜出力がＰ１以下の場合は、第１の突部３４の後端部が本体１の突出部２１に係合してその位置に留められ、不用意に本体１の軸方向に移動することを止められるため、押し棒２が錠剤３を押圧してこの錠剤３を外部へ放出させたり、押し棒２がその位置よりも後退して錠剤３を不必要に動かすことを防止できる。
【００４１】
この状態において、操作者がアプリケータを人体の膣内に挿入し、適切な位置に配置する。この状態においても、不用意に錠剤３が外部に放出されるのが防止される。そして、操作者が、アプリケータを定位置に挿入した後、更に本体１に対して押し棒２を押圧操作すると、錠剤３が前進する。この場合、押し棒２の外面に形成された第２の突部３５が、本体１の突出部２１に当接し、これらの間に摩擦力が発生した状態で、押し棒２が前進することになる。
【００４２】
したがって、操作者は、一定の負荷を感じつつ押し棒２を押圧することになるため、錠剤３が急速に外部へ放出されたりすることが防止される。またこの際、第２の突部３５は、押し棒２の先端部方向へ向けて、漸次突出高さが小となるように形成されているため、錠剤３が前方へ進行するにしたがって、押し棒２の負荷が大きくなり、錠剤３を本体１の先端部から放出する際に、より確実に急速な放出が防止される。そして、錠剤３が放出される際には、図５（ａ）、（ｂ）に示すように、本体１の舌片８を外方へ拡開しつつ、開口部６から外部へ送り出されることになる。
【００４３】
図５（ａ）に示すように、錠剤３を放出させた状態、すなわち本体１に対して押し棒２を本体１の最奥部まで挿入させた状態においては、押し棒２の係合突部３６の先端面３６ａが、本体１の後端面４ｂに当接する。したがって、この際押し棒２の基端部３７は、その一部が本体１の後端面から一定寸法突出した状態となり、本体１の張出壁部４と押し棒２の張出壁部３８との間には、一定の間隙が生ずることになる。
一方、錠剤３が本体１から外部へ送り出される際には、前述したように本体１の舌片８が弾性変形して外方へ拡開するが、錠剤３が放出された後は、この舌片８が弾性復帰し、その先端部が押し棒２の先端部の側面３２に当接し、この側面３２によって、定位置に保持される。
【００４４】
したがって、このアプリケータによれば、本体１内面に突出部２１を設け、押し棒２の外面に第１の突部３４を設けたので、このアプリケータを使用する際に突出部２１に対して、突部３４が係合して、本体１に対する押し棒２の不用意な後退を防止することができ、錠剤３を本体内で不必要に動かしたり、又、外部へ落下させたり、急速に外部へ放出させる等の不都合を防止することができる。また、錠剤３を膣内の適切な位置に送り出すことができる。
【００４５】
また、押し棒２の外面に、第２の突部３５を設けたので、本体１に対して本体２を押圧操作する際に、突出部２１と突部３５とが所定の摩擦力を以って押し棒２が進行する事になり操作者が適切な負荷を感じつつ押し棒２を操作することが可能となって、錠剤３の良好な押し出し操作を行うことができる。
【００４６】
また更に、押し棒２の基端部３７に係合突部３６を設けたので、押し棒２を本体１の最奥部まで挿入した際に、押し棒２の基端部３７が一定寸法本体１の後端面から突出することになる。よって、このアプリケータを再使用する際に、張出壁部３８を把持して押し棒２を容易に引き出すことができる。
【００４７】
また、本体１に対して押し棒２を最奥部まで挿入した場合には、張出壁部４と張出壁部３８との間に、所定の間隙が形成されるため、これらの間に体毛を挟む等のおそれが無いという効果が得られる。
【００４８】
また更に、このアプリケータを使用して錠剤３を膣内に送り出した後には、一旦拡開した本体１の舌片８が、弾性復帰して元の位置に戻った際に、その先端部が押し棒２の先端部の側面３２に保持されるので、この舌片８が徒に変位することが無く、この舌片８が膣の内面に押圧されたとしても不用意に変位することが無く、使用者が不快感を感ずることが無い等の効果が得られる。
また、このアプリケータによれば、使用後のアプリケータを体外に離脱させる際に、押し棒２が本体１から離れて抜け出ることを防止することができる。
【００４９】
図６（ａ）、（ｂ）は、本発明の別の実施形態の使用状態を示す説明図である。この実施の形態が、上述した実施の形態と異なる点は、本体１の先端部の舌片８部分の形状である。
上述した舌片８の形状においては、図５（ａ）、（ｂ）に示すように、押し棒２の先端部が錠剤３を送り出した状態において、舌片８の先端部分のみが押し棒２の側面３２に当接し、押し棒２が舌片８を保持する形状としたが、この実施の形態によると、押し棒２が錠剤３を送り出した後に、本体１の先端部に形成される舌片８が、押し棒２先端部の側面に倣って、その位置に保持されるようにしたものである。この実施の形態においても、押し棒２の先端が錠剤３を送り出した後に、押し棒２の先端部側面３２全体が舌片８内面を保持することになるので、舌片８をその位置に確実に保持することができる。
【符号の説明】
【００５０】
１  本体
２  押し棒    
３  錠剤（挿入物）
４  張出壁部（第１の張出壁部）
４ｂ  後端面
８  舌片
９  基端部
２１  突出部
３４  突部（第１の突部）
３５  突部（第２の突部）
３６  係合突部
３６ａ  先端面
３７  基端部
３８  張出壁部（第２の張出壁部）
【図１】
2010184092.tif 000003
【図２】
2010184092.tif 000004
【図３】
2010184092.tif 000005
【図４】
2010184092.tif 000006
【図５】
2010184092.tif 000007
【図６】
2010184092.tif 000008
【図７】
2010184092.tif 000009